(57)【要約】      （修正有）【課題】新規な構造、及び完全な機能を備え、応用の安定性と信頼性はよく、耐用年数は長い利点を有するＵＳＢ利用式電子タバコ充電器具を提供する。【解決手段】左軸６と右軸１１を通じて中継ケース１３の後部に接続されるＵＳＢ下部ケース８とＵＳＢ上部ケース１２、ＵＳＢ下部ケース８はＵＳＢ上部ケース１２の下端面に固定し、前部ケース１の後表面に固定した中継ケース１３と、左軸６に挿着されるばね７と、ＵＳＢ下部ケース８とＵＳＢ上部ケース１２との間に設置したキャビティ２の中に配置した活動軸９と、ＵＳＢ下部ケース８とＵＳＢ上部ケース１２の前端に配置したインライン部材１０と、からなる。【選択図】図１
0003216029.tif 000002
【実用新案登録請求の範囲】
【請求項１】
前部ケースと、前記前部ケースの中に装着されたキャビティと、前記キャビティの内表面に取り付けられたシリコンチップと、前記キャビティの後端面に固定したピン受けと、前記ピン受けの後表面に装着した操作パネルと、左端部が前記中継ケースから通り抜けて、活動軸と接続される左軸と、右端部が前記中継ケースから通り抜けて、前記活動軸と接続される右軸と、前記左軸と前記右軸を通じて前記中継ケースの後部に接続されるＵＳＢ下部ケースとＵＳＢ上部ケース、前記ＵＳＢ下部ケースは前記ＵＳＢ上部ケースの下端面に固定し、前記前部ケースの後表面に固定した前記中継ケースと、前記左軸に挿着されるばねと、前記ＵＳＢ下部ケースと前記ＵＳＢ上部ケースとの間に設置したキャビティの中に配置した前記活動軸と、前記ＵＳＢ下部ケースと前記ＵＳＢ上部ケースの前端に配置したインライン部材と、からなる構成をすることを特徴とするＵＳＢ利用式電子タバコ充電器具。
【請求項２】
前記前部ケースの外表面と前記中継ケースの外表面は、絶縁保護フィルムで被覆されることを特徴とする請求項１に記載のＵＳＢ利用式電子タバコ充電器具。
【請求項３】
前記ＵＳＢ下部ケースは、ねじで前記ＵＳＢ上部ケースと連結されることを特徴とする請求項１に記載のＵＳＢ利用式電子タバコ充電器具。
【請求項４】
前記ＵＳＢ下部ケースと前記ＵＳＢ上部ケースとは、同じ仕様を採用し、且つ前記ＵＳＢ下部ケースと前記ＵＳＢ上部ケースの外表面には、ノンスリップ模様が施されていることを特徴とする請求項１に記載のＵＳＢ利用式電子タバコ充電器具。
【請求項５】
前記中継ケースは、円錐形構造をすることを特徴とする請求項１に記載のＵＳＢ利用式電子タバコ充電器具。
【考案の詳細な説明】
【技術分野】
【０００１】
本考案は電子タバコ技術分野に関し、ＩＱＯＳ（登録商標）電子タバコ用ＵＳＢ充電器を提供する。
【背景技術】
【０００２】
ＩＱＯＳは巻きたばこと同じ外観、味と感じを持つ電子タバコであり、カスタマイズされた煙草を利用することから、ほかの電子タバコと区別され、ＩＱＯＳは、リキッドから生じる蒸気の代わりに、煙草を３５０℃ほど加熱することで、煙が生じされて利用可能になる。ＩＱＯＳは充電器を経由して、持続能力をアップするが、現在市販されている電子タバコ用充電器は、電子タバコの迅速な固定ができないため、電子タバコの安定性が足りなく、充電の持続性にも悪い影響を及ぼしてしまう。また、従来技術の電子タバコ用充電器は、充電ヘッドが回転不能で、バッファ保護性は不十分であることから、充電ヘッドの耐用年数が短くなってしまい、これらの問題を解決するために、ＩＱＯＳ電子タバコ用ＵＳＢ充電器を提供しようとする。
【考案の概要】
【考案が解決しようとする課題】
【０００３】
従来技術の不足に対して、本考案は、ＩＱＯＳ電子タバコ用ＵＳＢ充電器の提供を目的として、上記背景技術に提出した問題を解決しようとするほか、本考案は、新規な構造、及び完全な機能を備え、応用の安定性と信頼性はよく、耐用年数は長い利点を有する。
【課題を解決するための手段】
【０００４】
上記目的を実現するために、本考案には、ＩＱＯＳ電子タバコ用ＵＳＢ充電器が開示され、前部ケースと、前部ケースの中に装着されたキャビティと、前記キャビティの内表面に取り付けられたシリコンチップと、前記キャビティの後端面に固定したピン受けと、前記ピン受けの後表面に装着した操作パネルと、左端部が前記中継ケースから通り抜けて、活動軸と接続される左軸と、右端部が前記中継ケースから通り抜けて、活動軸と接続される右軸と、前記左軸と前記右軸を通じて中継ケースの後部に接続されるＵＳＢ下部ケースと前記ＵＳＢ上部ケース、前記ＵＳＢ下部ケースはＵＳＢ上部ケースの下端面に固定し、前記前部ケースの後表面に固定した中継ケースと、前記左軸に挿着されるばねと、ＵＳＢ下部ケースとＵＳＢ上部ケースとの間に設置したキャビティの中に配置した活動軸と、前記ＵＳＢ下部ケースと前記ＵＳＢ上部ケースの前端に配置したインライン部材と、からなる構成とする。
【０００５】
更に、前記前部ケースの外表面と中継ケースの外表面には、絶縁保護フィルムで被覆される。
【０００６】
更に、前記ＵＳＢ下部ケースは、ねじでＵＳＢ上部ケースと連結される。
【０００７】
更に、前記ＵＳＢ下部ケースと前記ＵＳＢ上部ケースとは、同じ仕様を採用し、且つＵＳＢ下部ケースとＵＳＢ上部ケースの外表面には、ノンスリップ模様が施されている。
【０００８】
更に、前記ＵＳＢ下部ケースは、前記中継ケースは、円錐形構造をする。
【考案の効果】
【０００９】
本考案のＩＱＯＳ電子タバコ用ＵＳＢ充電器は、キャビティ、シリコンチップ、ピン受けと操作パネルの設置により、電子タバコの迅速な固定機能を実現することで、電子タバコの充電の安定性を向上させ、従来の電子タバコを使用する時に、迅速な固定ができないため、電子タバコの安定性が不足になり、充電の持続性に悪い影響を及ぼす、という問題を解決できる、
本考案は、左軸、ばね、活動軸と右軸が採用される設計により、充電ヘッドの回転機能を実現し、バッファ保護性がよく、充電ヘッドの耐用年数が長くなり、従来技術の電子タバコ用充電器が、充電ヘッドが回転不能で、バッファ保護性は不十分であることから、充電ヘッドの耐用年数が短くなってしまう、という問題を解決した、
本考案は、絶縁保護フィルムの採用により、前部ケースと中継ケースの絶縁保護性を向上させ、本考案はノンスリップ模様を採用したため、ＵＳＢ上部ケースとＵＳＢ下部ケースのノンスリップ性能をアップし、また新規な構造、及び完全な機能を備え、応用の安定性と信頼性はよく、耐用年数は長いようになり、有益効果を有する。
【図面の簡単な説明】
【００１０】
【図１】本考案のＩＱＯＳ電子タバコ用ＵＳＢ充電器の分解構造図
【図２】本考案のＩＱＯＳ電子タバコ用ＵＳＢ充電器の上視構造図
【図３】本考案のＩＱＯＳ電子タバコ用ＵＳＢ充電器の上視横断面図
【考案を実施するための形態】
【００１１】
以下は、本考案に開示した技術的様態、創作特徴、目的と効果が理解しやすいように、本考案に関する実施例を参照しながら、本考案を詳細に説明する。
【００１２】
図１−図３を参照してください。本考案はＩＱＯＳ電子タバコ用ＵＳＢ充電器を開示し、前部ケース１と、前部ケース１の中に装着されたキャビティ２と、前記キャビティ２の内表面に取り付けられたシリコンチップ３と、前記キャビティ２の後端面に固定したピン受けと、前記ピン受け４の後表面に装着した操作パネル５と、左軸６、ばね７、ＵＳＢ下部ケース８、活動軸９、インライン部材１０、右軸１１、ＵＳＢ上部ケース１２と中継ケース１３からなる構成により、電子タバコの迅速な固定機能を実現するほか、電子タバコの充電の安定性を向上させ、前記ＵＳＢ下部ケース８はＵＳＢ上部ケース１２の下端面に固定し、且つ前記ＵＳＢ下部ケース８とＵＳＢ上部ケース１２とは、左軸６と右軸１１によって中継ケース１３の後部に接続され、前記左軸６は左端部が中継ケース１３から通り抜けて、活動軸９と接続され、前記活動軸９はＵＳＢ下部ケース８とＵＳＢ上部ケース１２との間に設置したキャビティの中に配置し、前記ばね７は前記左軸６に挿着され、前記右軸１１は右端部が中継ケース１３から通り抜けて、活動軸８と接続される設計を通じて、本考案は充電ヘッドの回転機能を実現し、バッファ保護性が優れ、耐用年数が長いほか、前記インライン部材１０は前記ＵＳＢ下部ケース８とＵＳＢ上部ケース１２の前部に装着し、前記中継ケース１３は前記前部ケース１の後表面に固定される。
【００１３】
前記前部ケース１の外表面と中継ケース１３の外表面には、絶縁保護フィルムで被覆され、前記ＵＳＢ下部ケース８は、ねじでＵＳＢ上部ケース１２と連結され、前記ＵＳＢ下部ケース８と前記ＵＳＢ上部ケース１２とは、同じ仕様を採用し、且つＵＳＢ下部ケース８とＵＳＢ上部ケース１２の外表面には、ノンスリップ模様が施されており、前記中継ケース１３は、円錐形構造をする。
【００１４】
具体的には、作業者が使用時に、電子タバコを前記前部ケース１の前部から前記キャビティ２の中に挿し込んで、電子タバコをキャビティ２における前記シリコンチップ３を押し付け、それにより、シリコンチップ３に変形は発生し、且つ電子タバコの表面にしっかりと貼りつき、電子タバコはキャビティ２の中に固定されることで、電子タバコの迅速な固定機能を実現し、電子タバコの充電安定性を向上させることができる。
【００１５】
充電ヘッドの角度を調節する必要がある際には、作業者は前記ＵＳＢ上部ケース１２を押すと、前記ＵＳＢ上部ケース１２は前記左軸６の回転を駆動し、左軸６は前記活動軸９をつれて回転し、活動軸９はまた前記右軸１１の回転を駆動する。それにより、前記ＵＳＢ上部ケース１２と前記ＵＳＢ下部ケース８は前記中継ケース１３にて回転し、前記ＵＳＢ上部ケース１２と前記ＵＳＢ下部ケース８はインライン部材１０をつれて回転すると同時に、左軸６はその回転によってばね７を押し付け、前記ばね７に発生した弾性変形を利用し、ばね７は左軸６が回転して生じる応力を吸収し、それにより、充電ヘッドの回転機能を実現し、バッファ保護性はよく、耐用年数は長いようになる。
【００１６】
本考案に関する実施例の基本原理・主要特徴・利点を開示・説明したが、当業者にとっては、本考案はこれらの実施例により制限されるものではなく、本考案の基本特徴と精神を脱離しない前提で、本考案をほかの実施形態で実現してもよい。したがって、これらの実施形態は例として提示したものであり、発明の範囲を限定することは意図していない。本考案の範囲は上記説明ではなく、付属した特許請求の範囲により限定されるものであり、特許請求の範囲及びその同士に含まれる記載された発明やその変形は、本考案の範囲に含まれる。権利請求範囲における何れかの付図や標識を、請求範囲を限定するものと認識しないべきである。
【００１７】
また、本明細書は、実施形態に従って説明したものであるが、各実施形態には、一つだけの独立な技術様態が含まれるわけではなく、明細書に採用したこのような説明方法は、明確な説明を目指すものでしかなく、当業者であれば、本明細書を全体として考えるべきであり、各実施例に提示した技術様態に対して、適当な結合により、当業者に理解できる他の実施形態を形成してもよい。
【符号の説明】
【００１８】
１  前部ケース
２  キャビティ
３  シリコンチップ
４  ピン受け
５  操作パネル
６  左軸
７  ばね
８  ＵＳＢ下部ケース
９  活動軸
１０  インライン部材
１１  右軸
１２  ＵＳＢ上部ケース
１３  中継ケース
【図１】
0003216029.tif 000003
【図２】
0003216029.tif 000004
【図３】
0003216029.tif 000005
【手続補正書】
【提出日】平成30年2月21日(2018.2.21)
【手続補正１】
【補正対象書類名】実用新案登録請求の範囲
【補正対象項目名】全文
【補正方法】変更
【補正の内容】
【実用新案登録請求の範囲】
【請求項１】
前部ケースと、前記前部ケースの中に装着されたキャビティと、前記キャビティの内表面に取り付けられたシリコンチップと、前記キャビティの後端面に固定したピン受けと、前記ピン受けの後表面に装着した操作パネルと、左端部が中継ケースから通り抜けて、活動軸と接続される左軸と、右端部が前記中継ケースから通り抜けて、前記活動軸と接続される右軸と、前記左軸と前記右軸を通じて前記中継ケースの後部に接続されるＵＳＢ下部ケースとＵＳＢ上部ケース、前記ＵＳＢ下部ケースは前記ＵＳＢ上部ケースの下端面に固定し、前記前部ケースの後表面に固定した前記中継ケースと、前記左軸に挿着されるばねと、前記ＵＳＢ下部ケースと前記ＵＳＢ上部ケースとの間に設置したキャビティの中に配置した前記活動軸と、前記ＵＳＢ下部ケースと前記ＵＳＢ上部ケースの前端に配置したインライン部材と、からなる構成をすることを特徴とするＵＳＢ利用式電子タバコ充電器具。
【請求項２】
前記前部ケースの外表面と前記中継ケースの外表面は、絶縁保護フィルムで被覆されることを特徴とする請求項１に記載のＵＳＢ利用式電子タバコ充電器具。
【請求項３】
前記ＵＳＢ下部ケースは、ねじで前記ＵＳＢ上部ケースと連結されることを特徴とする請求項１に記載のＵＳＢ利用式電子タバコ充電器具。
【請求項４】
前記ＵＳＢ下部ケースと前記ＵＳＢ上部ケースとは、同じ仕様を採用し、且つ前記ＵＳＢ下部ケースと前記ＵＳＢ上部ケースの外表面には、ノンスリップ模様が施されていることを特徴とする請求項１に記載のＵＳＢ利用式電子タバコ充電器具。
【請求項５】
前記中継ケースは、円錐形構造をすることを特徴とする請求項１に記載のＵＳＢ利用式電子タバコ充電器具。